【手続補正書】
【提出日】平成16年3月17日(2004.3.17)
【手続補正１】
【補正対象書類名】明細書
【補正対象項目名】発明の名称
【補正方法】変更
【補正の内容】
【発明の名称】ボタン穴かがりミシン及び穴かがり縫い目の形成方法
【手続補正２】
【補正対象書類名】明細書
【補正対象項目名】特許請求の範囲
【補正方法】変更
【補正の内容】
【特許請求の範囲】
【請求項１】
縫い目データにより鳩目部と鳩目部に連なる左右側縫い部と左右側縫い部の端部どうしを連結する閂止め縫い部とからなる鳩目穴かがり縫い目を形成するボタン穴かがりミシンであって、
縫い始め位置及び縫い終わり位置を、前記鳩目部又は前記左右の側縫い部のうちいずれかの側縫い部の鳩目部近傍としたことを特徴とするボタン穴かがりミシン。
【請求項２】
縫い目データにより直線状の左右側縫い部と左右側縫い部の端部どうしを連結する閂止め縫い部とからなる眠り目穴かがり縫い目を形成するボタン穴かがりミシンであって、
縫い始め位置及び縫い終わり位置を、前記左右の側縫い部のうちいずれかの側縫い部の中央部近傍としたことを特徴とするボタン穴かがりミシン。
【請求項３】
上下動する針棒と被縫製物を支持する支持手段とを相対移動させ、ボタン穴かがり縫い目を形成する縫い目形成機構と、
前記ボタン穴かがり縫い目を形成するための制御データを設定する制御データ設定手段とを備え、
前記制御データに基づいて縫い目データを作成し、作成された縫い目データに基づいて前記縫い目形成機構を制御し、ボタン穴かがり縫い目を形成するボタン穴かがりミシンであって、
前記制御データ設定手段は、ボタン穴かがり縫いの縫い始め位置及び縫い終わり位置をそれぞれ設定する縫い始め位置設定手段及び縫い終わり位置設定手段を含み、
前記設定された縫い始め位置からかがり縫いが開始され、前記設定された縫い終わり位置でかがり縫いが終了するように前記制御データに基づいて縫い目データを作成する縫い目データ作成手段と、
前記作成された縫い目データに基づいて前記縫い目形成機構を制御してかがり縫い目を形成させる制御手段とを備えることを特徴とするボタン穴かがりミシン。
【請求項４】
請求項３に記載のボタン穴かがりミシンにおいて、
前記縫い始め位置設定手段及び縫い終わり位置設定手段は、ボタン穴かがり縫い目の種類により、縫い始め位置及び縫い終わり位置を自動的に設定することを特徴とするボタン穴かがりミシン。
【請求項５】
請求項３又は４に記載のボタン穴かがりミシンにおいて、
前記縫い終わり位置設定手段は、前記縫い始め位置から縫い始めて再び縫い始め位置に戻ってきた後に縫い始めの縫い目に重ねて形成される重ね縫いの最終針位置を、縫い終わり位置として設定し、
前記縫い目データ作成手段は、前記設定された縫い終わり位置でかがり縫いが終了するように、前記制御データに基づいて縫い目データを作成し、作成された縫い目データに基づいて前記縫い目形成機構を制御してかがり縫い目を形成させることを特徴とするボタン穴かがりミシン。
【請求項６】
請求項５に記載のボタン穴かがりミシンにおいて、
前記縫い終わり位置設定手段は、前記縫い始め位置からの重ね縫いの長さによって、縫い終わり位置を設定することを特徴とするボタン穴かがりミシン。
【請求項７】
請求項５に記載のボタン穴かがりミシンにおいて、
前記縫い終わり位置設定手段は、前記縫い始め位置からの重ね縫いの針数によって、縫い終わり位置を設定することを特徴とするボタン穴かがりミシン。
【請求項８】
鳩目部と鳩目部に連なる左右側縫い部と左右側縫い部の端部どうしを連結する閂止め縫い部とからなる鳩目をボタン穴の周囲に形成する穴かがり縫い目の形成方法において、
縫い始め位置及び縫い終わり位置を、前記鳩目部又は前記左右の側縫い部のうちいずれかの側縫い部の鳩目部付近としたことを特徴とするかがり縫い目の形成方法。
【請求項９】
直線状の左右側縫い部と左右側縫い部の端部どうしを連結する閂止め縫い部とからなる眠り目穴かがり縫い目をボタン穴の周囲に形成する穴かがり縫い目の形成方法において、
縫い始め位置及び縫い終わり位置を、前記左右の側縫い部のうちいずれかの側縫い部の中央部付近としたことを特徴とする穴かがり縫い目の形成方法。
【請求項１０】
前記縫い始め位置から縫い始めて再び縫い始め位置に戻ってきた後に縫い始め位置の縫い目に重ねて形成される重ね縫いの最終針位置を縫い終わり位置として前記鳩目穴かがり縫い目又は前記眠り目穴かがり縫い目を形成することを特徴とする請求項８又は９に記載の穴かがり縫い目の形成方法。
【手続補正３】
【補正対象書類名】明細書
【補正対象項目名】０００１
【補正方法】変更
【補正の内容】
【０００１】
【発明の属する技術分野】
本発明は、ボタン穴かがりミシン及び穴かがり縫い目の形成方法に関する。


【手続補正４】
【補正対象書類名】明細書
【補正対象項目名】００１１
【補正方法】変更
【補正の内容】
【００１１】
本発明は、上記事情に鑑みてなされたもので、見栄え良く、高級感のあるボタン穴かがり縫い目を施すことのできるボタン穴かがりミシン及び穴かがり縫い目の形成方法を提供することを課題としている。


【手続補正５】
【補正対象書類名】明細書
【補正対象項目名】００２６
【補正方法】変更
【補正の内容】
【００２６】
請求項７の発明によれば、前記縫い終わり位置設定手段は、前記縫い始め位置からの重ね縫いの針数によって縫い終わり位置を設定するので、容易に縫い終わり位置を設定できる。また、この重ね縫いの針数を任意に設定することで、種々の仕様に対応したボタン穴かがり縫いを施すことができる。
請求項８の発明は、鳩目部と鳩目部に連なる左右側縫い部と左右側縫い部の端部どうしを連結する閂止め縫い部とからなる鳩目をボタン穴の周囲に形成する穴かがり縫い目の形成方法において、
縫い始め位置及び縫い終わり位置を、前記鳩目部又は前記左右の側縫い部のうちいずれかの側縫い部の鳩目部付近としたことを特徴とする。
請求項８の発明によれば、請求項１と同様の効果を得ることができる。
請求項９の発明は、直線状の左右側縫い部と左右側縫い部の端部どうしを連結する閂止め縫い部とからなる眠り目穴かがり縫い目をボタン穴の周囲に形成する穴かがり縫い目の形成方法において、
縫い始め位置及び縫い終わり位置を、前記左右の側縫い部のうちいずれかの側縫い部の中央部付近としたことを特徴とする。
請求項９の発明によれば、請求項２と同様の効果を得ることができる。
請求項１０の発明は、請求項８又は９に記載の穴かがり縫い目の形成方法において、
前記縫い始め位置から縫い始めて再び縫い始め位置に戻ってきた後に縫い始め位置の縫い目に重ねて形成される重ね縫いの最終針位置を縫い終わり位置として前記鳩目穴かがり縫い目又は前記眠り目穴かがり縫い目を形成することを特徴とする。
請求項１０の発明によれば、縫い始め位置から縫い始めて再び縫い始め位置に戻ってきた後に縫い始め位置の縫い目に重ねて形成される重ね縫いの最終針位置を縫い終わり位置として鳩目穴かがり縫い目又は眠り目穴かがり縫い目を形成するので、美観に優れたボタン穴かがり縫いを施すことができる。
【手続補正６】
【補正対象書類名】明細書
【補正対象項目名】００８６
【補正方法】変更
【補正の内容】
【００８６】
請求項７の発明によれば、請求項５と同様の効果を得ることができるのは勿論のこと、容易に縫い終わり位置を設定できる。また、この重ね縫いの針数を任意に設定することで、種々の仕様に対応したボタン穴かがり縫いを施すことができる。
請求項８の発明によれば、請求項１と同様の効果を得ることができる。
請求項９の発明によれば、請求項２と同様の効果を得ることができる。
請求項１０の発明によれば、美観に優れたボタン穴かがり縫いを施すことが可能となる。